(57)【要約】【課題】操作が煩雑になることなしに、アクションが起こるタイミングのランダム性を担保することができるゲーム玩具を提供する。【解決手段】ゲーム玩具は、操作部２と、操作部２が一回操作されることで第一の回転方向に所定回転角度だけ回転する一方で、第二の回転方向への回転が規制される第一回転部と、第一回転部の第一の回転方向への回転が伝達されて回転するとともに、この相対回転の回転速度に応じて生じる慣性力により、第一回転部から伝達される所定回転角度以上の回転が可能な第二回転部と、第二回転部の回転によって周回するトリガ解除部と、トリガ解除部によって解除操作されるトリガ部と、トリガ部に対して係止され、トリガ部が解除操作されることでトリガ部に対する係止状態が解除されて所定方向に変位するアクション部２３と、を備える。【選択図】図１
0003194179.tif 000002
【実用新案登録請求の範囲】
【請求項１】
一回の操作で所定操作量だけ操作可能な操作部と、
前記操作部に連動し、前記操作部が一回操作されることで第一の回転方向に所定回転角度だけ回転する一方で、前記第一の回転方向とは反対方向である第二の回転方向への回転が規制される第一回転部と、
前記第一回転部の第一の回転方向への回転が伝達されて回転するとともに、この相対回転の回転速度に応じて生じる慣性力により、前記第一回転部から伝達される所定回転角度の回転に対応した回転角度以上の回転が可能な第二回転部と、
前記第二回転部の外周部に設けられ、前記第二回転部の回転によって周回するトリガ解除部と、
前記第二回転部が所定の回転位置となったときに前記トリガ解除部によって解除操作されるトリガ部と、
所定方向に付勢された状態で前記トリガ部に対して係止され、前記トリガ部が解除操作されることで前記トリガ部に対する係止状態が解除されて前記所定方向に変位するアクション部と、を備えるゲーム玩具。
【請求項２】
前記第一回転部の第一の回転方向への回転を許容する一方で、第二の回転方向への回転を規制する第一の歯および第一の爪を有する第一のラチェット機構と、
前記第一回転部に対する前記第二回転部の慣性による相対回転を許容する一方で、前記第二回転部の慣性による相対回転とは逆方向への相対回転を規制する第二の歯および第二の爪を有する第二のラチェット機構と、を備える請求項１に記載のゲーム玩具。
【請求項３】
前記第二の爪が前記第二の歯に対して付勢される力は、前記第一の爪が前記第一の歯に対して付勢される力よりも小さい請求項２に記載のゲーム玩具。
【請求項４】
前記操作部を揺動可能に支持する首部と、
前記操作部の揺動による操作力を、前記第一回転部に伝達する操作力伝達部と、を備え、
前記操作力伝達部は、
前記操作部の操作量に応じた角度で揺動する揺動部材と、
前記揺動部材に押圧されて前記揺動部材の揺動角度に応じて初期位置からスライド変位するとともに、初期位置に向かって付勢されるスライド部材と、
前記スライド部材に対して前記第一の歯に向けて付勢された状態で設けられ、前記スライド部材が初期位置からスライド変位することで、前記第一の歯に係止されて前記第一回転部を第一の回転方向へ回転させるカギ部材と、を備える請求項２又は３に記載のゲーム玩具。
【請求項５】
前記第一の歯は、
前記スライド部材が初期位置に戻るときの変位により、前記カギ部材を退避位置まで変位させる案内面を備える請求項４に記載のゲーム玩具。
【請求項６】
前記トリガ解除部は、前記第二回転部から突出して形成され、
前記トリガ部は、前記第二回転部の相対回転によって周回する前記トリガ解除部によって押圧されることで揺動し、前記アクション部に対する前記係止状態を解除する請求項１から５の何れか一項に記載のゲーム玩具。
【請求項７】
前記アクション部を上下方向に案内する案内部を備える請求項１から６の何れか一項に記載のゲーム玩具。
【請求項８】
前記アクション部は、
その上面に有底円筒状の容器を載せることが可能な容器支持部を備え、
前記操作部は、
操作前の初期位置にある場合に、その少なくとも一部が前記容器の開口部を塞ぐ閉塞部を備える請求項１から７の何れか一項に記載のゲーム玩具。
【考案の詳細な説明】
【技術分野】
【０００１】
この考案は、ゲーム玩具に関するものである。
【背景技術】
【０００２】
複数のユーザが順番に操作部材を操作するなどのルールを設けて、ユーザには分からない操作回数で、係止機構による係止を解除して物体が飛び出させるなどのアクションを行う、いわゆる「サドン・デス」タイプのゲーム玩具が知られている。この種のゲーム玩具は、飛び出しタイミングが分からない緊張感と、物体飛び出し時の衝撃との両方によってユーザが楽しめるようになっている。
【０００３】
特許文献１には、いわゆる「サドン・デス」タイプのゲーム玩具として、遊ぶ前にダイヤル操作によりアクションが行われるタイミングをずらす技術が記載されている。この特許文献１における技術によれば、ダイヤルを回転させることで、ユーザが分からないように係止を解除する爪の位置を周方向に変更可能となっている。この爪は、操作部材の１回の操作により所定の回転角度だけ移動するようになっており、予め設定された解除位置に爪が達したときに、係止機構による係止状態が解除される。
【先行技術文献】
【特許文献】
【０００４】
【特許文献１】実開平１−１３５９９０号公報
【考案の概要】
【考案が解決しようとする課題】
【０００５】
しかしながら、上述した特許文献１に記載のゲーム玩具は、遊ぶ前にダイヤル操作を行わなければアクションの出現するタイミングが毎回同じになってしまう。そのため、繰り返し遊戯を行う場合などには、アクションが起こるタイミングのランダム性を担保するためにダイヤル操作が必要となり、遊戯前の操作が煩雑になるという課題がある。
【０００６】
この考案は、上記事情に鑑みてなされたものであり、操作が煩雑になることなしに、アクションが起こるタイミングのランダム性を担保することができるゲーム玩具を提供するものである。
【課題を解決するための手段】
【０００７】
上記の課題を解決するために、この考案は以下の構成を備える。
この考案に係るゲーム玩具は、一回の操作で所定操作量だけ操作可能な操作部と、前記操作部に連動し、前記操作部が一回操作されることで第一の回転方向に所定回転角度だけ回転する一方で、前記第一の回転方向とは反対方向である第二の回転方向への回転が規制される第一回転部と、前記第一回転部の第一の回転方向への回転が伝達されて回転するとともに、この相対回転の回転速度に応じて生じる慣性力により、前記第一回転部から伝達される所定回転角度の回転に対応した回転角度以上の回転が可能な第二回転部と、前記第二回転部の外周部に設けられ、前記第二回転部の回転によって周回するトリガ解除部と、前記第二回転部が所定の回転位置となったときに前記トリガ解除部によって解除操作されるトリガ部と、所定方向に付勢された状態で前記トリガ部に対して係止され、前記トリガ部が解除操作されることで前記トリガ部に対する係止状態が解除されて前記所定方向に変位するアクション部と、を備える。
このように構成することで、ユーザが操作部を一回操作することで、第一回転部が第一の回転方向に所定回転角度だけ回転する。さらに、この所定回転角度だけ第一回転部が回転することで、その回転が第二回転部に伝達されて第二回転部が回転する。この際、第二回転部の回転角度は、回転速度に応じて変化する第二回転部の慣性力により決まる。言い換えれば、ユーザが操作部を操作する操作速度に応じて第二回転部の回転角度が決まる。このように第二回転部の回転角度が変化することで、第二回転部と共に第二回転部の周りを周回するトリガ解除部の位置が変化する。そのため、アクション部が所定方向に変位するタイミングを、遊戯中に操作部を操作するだけで毎回ずらすことができる。
その結果、操作が煩雑になることなしに、アクションが起こるタイミングのランダム性を担保することが可能となる。
【０００８】
さらに、この考案に係るゲーム玩具は、上記ゲーム玩具において、前記第一回転部の第一の回転方向への回転を許容する一方で、第二の回転方向への回転を規制する第一の歯および第一の爪を有する第一のラチェット機構と、前記第一回転部に対する前記第二回転部の慣性による相対回転を許容する一方で、前記第二回転部の慣性による相対回転とは逆方向への相対回転を規制する第二の歯および第二の爪を有する第二のラチェット機構と、を備えていてもよい。
このように構成することで、第一のラチェット機構によって第一回転部の第一の回転方向への回転を許容する一方で第二の回転方向への回転を規制する機構が複雑化することを抑制できる。同様に、第二のラチェット機構によって、第一回転部に対する第二回転部の慣性による相対回転を許容する一方で第二回転部の慣性による相対回転とは逆方向への相対回転を規制する機構が複雑化することを抑制できる。
その結果、部品点数の増加を抑制して、小型化および軽量化を図ることができる。
【０００９】
さらに、この考案に係るゲーム玩具は、上記ゲーム玩具において、前記第二の爪が前記第二の歯に対して付勢される力が、前記第一の爪が前記第一の歯に対して付勢される力よりも小さくてもよい。
このように構成することで、第二の爪が第二の歯に付勢される力によって、第一回転部に対する第二回転部の相対回転が過度になることを抑制できる。また、第一の爪がより大きな力で第一の歯に対して付勢されていることで、第一回転部が所定回転角度よりも回転することを抑制できる。
その結果、第一回転部の回転に対して第二回転部の回転を慣性力に応じて安定して進ませることができる。
【００１０】
さらに、この考案に係るゲーム玩具は、上記ゲーム玩具において、前記操作部を揺動可能に支持する首部と、前記操作部の揺動による操作力を、前記第一回転部に伝達する操作力伝達部と、を備え、前記操作力伝達部は、前記操作部の操作量に応じた角度で揺動する揺動部材と、前記揺動部材に押圧されて前記揺動部材の揺動角度に応じて初期位置からスライド変位するとともに、初期位置に向かって付勢されるスライド部材と、前記スライド部材に対して前記第一の歯に向けて付勢された状態で設けられ、前記スライド部材が初期位置からスライド変位することで、前記第一の歯に係止されて前記第一回転部を第一の回転方向へ回転させるカギ部材と、を備えていてもよい。
このように構成することで、揺動部材の揺動によりスライド部材をスライドさせてカギ部材によって第一回転部を回転させることができる。そのため、例えば、第一回転部から離れた位置に操作部が配されている場合であっても、その揺動による操作力を、操作力伝達部を介して第一回転部に伝達することができる。
【００１１】
さらに、この考案に係るゲーム玩具は、上記ゲーム玩具において、前記第一の歯が、前記スライド部材が初期位置に戻るときの変位により、前記カギ部材を退避位置まで変位させる案内面を備えていてもよい。
このように構成することで、案内面によってカギ部材を退避位置まで変位させることができる。そのため、周方向で隣り合う次の第一の歯に噛み合う位置までカギ部材を円滑に移動させることができる。
【００１２】
さらに、この考案に係るゲーム玩具は、上記ゲーム玩具において、前記トリガ解除部が、前記第二回転部から突出して形成され、前記トリガ部が、前記第二回転部の相対回転によって周回する前記トリガ解除部によって押圧されることで揺動し、前記アクション部に対する前記係止状態を解除するようにしてもよい。
このように構成することで、トリガ解除部の周回によってトリガ部がトリガ解除部に押圧されて、トリガ部によるアクション部の係止状態を解除することができる。そのため、第二回転部の回転によってトリガ部による係止状態を解除する機構が複雑化することを抑制できる。
その結果、トリガ部とトリガ解除部との互いの位置調整に手間がかからず、組み立て作業者の負担を軽減できる。
【００１３】
さらに、この考案に係るゲーム玩具は、上記ゲーム玩具において、前記アクション部を上下方向に案内する案内部を備えていてもよい。
このように構成することで、アクション部がベース部によって上方に向かって案内されるため、トリガ部による係止状態が解除された場合に、アクション部を上方に向かって変位させることができる。
その結果、迫力が高まるとともに、アクション部を変位させる機構の信頼性を向上することができる。
【００１４】
さらに、この考案に係るゲーム玩具は、上記ゲーム玩具において、前記アクション部は、その上面に有底円筒状の容器を載せることが可能な容器支持部を備え、前記操作部は、操作前の初期位置にある場合に、その少なくとも一部が前記容器の開口部を塞ぐ閉塞部を備えていてもよい。
このように構成することで、容器の中に収容されている収容物を取り出す動作をするために、開口部を塞ぐ閉塞部を持ち上げて操作部を揺動させることができる。そのため、複数のユーザが順次容器から収容物を取り出す操作を繰り返すことによって、ランダムなタイミングでアクション部を変位させることができる。そのため、アクション部に載せられた容器をアクション部と共に変位させて収容物を揺さぶることができる。その結果、より強い衝撃をユーザに与えることができる。
【考案の効果】
【００１５】
この考案に係るゲーム玩具によれば、操作が煩雑になることなしに、アクションが起こるタイミングのランダム性を担保することができる。
【図面の簡単な説明】
【００１６】
【図１】この考案の実施形態におけるゲーム玩具の斜視図である。
【図２】この考案の実施形態におけるゲーム玩具のアクションが起こった状態の斜視図である。
【図３】この考案の実施形態における操作力伝達部の側面図である。
【図４】この考案の実施形態における玩具本体の分解斜視図である。
【図５】この考案の実施形態における玩具本体の平面図である。
【図６】この考案の実施形態における下部アクション部を示す断面図である。
【図７】この考案の実施形態におけるランダム解除機構部の平面図である。
【図８】この考案の実施形態における第二回転部の平面図である。
【図９】この考案の実施形態における第一回転部の斜視図である。
【考案を実施するための形態】
【００１７】
次に、この考案の一実施形態におけるゲーム玩具を図面に基づき説明する。
図１は、この考案の実施形態におけるゲーム玩具の斜視図である。図２は、この考案の実施形態におけるゲーム玩具のアクションが起こった状態の斜視図である。
図１、図２に示すように、この実施形態のゲーム玩具１は、頭部（操作部）２と、首部３と、玩具本体４と、を備えている。ここで、ゲーム玩具１の、前後、左右、上下の各方向を、図１中、矢印で示している。
【００１８】
頭部２は、首部３の上端から前方に向かって延びている。この頭部２は、首部３に対して揺動可能に支持されている。遊戯中は、この頭部２の下方に、有底筒状の容器５（図２中、二点鎖線で示す）が配されるようになっている。頭部２は、図１に示す初期状態から、容器５の開口部５ａへのアクセスを可能とする図２に示す開放位置まで揺動可能とされている。この容器５には、複数の収容物（図示せず）が収容されており、ユーザは、頭部２を一回の操作で操作前の初期位置から開放位置まで揺動操作して、容器５内の収容物を１個取り出した後、頭部２を初期位置に戻す。初期位置において、頭部２の前側の部分は、容器５の開口部５ａを閉塞する閉塞部となっている。
【００１９】
この実施形態における頭部２は、初期位置にあるときに上方に向かって凸となる曲面を有するとともに、下方に向かって開口するカップ状の樹脂で形成されている。この頭部２は、首部３に対して着脱可能に取り付けられている。これにより、例えば、頭部２に過度の力がかかった際に首部３から頭部２が外れてゲーム玩具１の破損を防止している。さらに頭部２の上面には、シールや塗装などによって顔を構成する目、鼻などが設けられている。
【００２０】
図３は、この考案の実施形態における操作力伝達部の側面図である。
図３に示すように、首部３は、頭部２と玩具本体４との間に設けられている。首部３は、玩具本体４の後部上面から上方に立ち上がるハウジング１２（図１参照）を備えている。このハウジング１２の内部には、操作力伝達部６が収容されている。
操作力伝達部６は、上述した頭部２の揺動による操作力を、後述する玩具本体の第一回転部に伝達する。この操作力伝達部６は、揺動部材９と、スライド部材１０と、を備えている。
【００２１】
揺動部材９は、頭部２の操作量に応じた角度で揺動する。この揺動部材９は、ハウジング１２の長手方向である上下方向に延びるように形成されている。揺動部材９は、その長手方向における中央部よりも僅かに下方の位置で、ハウジング１２に対して支持されている。また、揺動部材９は、ハウジング１２に対して頭部２の揺動軸Ｏ１と平行な軸線Ｏ２周りに回動可能に支持されている。さらに、揺動部材９の長手方向における上側の第一端部１３は、支持部材１１の連結部１４に連結されている。この連結部１４は、揺動軸Ｏ１の径方向外側に離れて配されている。つまり、連結部１４は、支持部材１１の回動によって揺動軸Ｏ１周りを円弧軌道で変位することとなる。
【００２２】
第一端部１３は、揺動軸Ｏ１と平行に貫通し、揺動部材９の長手方向に延びる長孔１５を備えている。この長孔１５には、連結部１４の軸１６が貫通している。これにより、支持部材１１の連結部１４と、揺動軸Ｏ１とが連結している。このように第一端部１３に長孔１５が形成されていることで、連結部１４の円弧軌道による変位を、この変位とは異なる円弧軌道を有する揺動部材９の第一端部１３に対して伝達可能となっている。すなわち、支持部材１１の回動により、その回動角度に応じた分だけ、揺動部材９の第一端部１３が変位する。このように第一端部１３が変位することにより、揺動部材９が揺動され、第一端部１３の変位分だけ揺動部材９の第二端部１７が変位する。
【００２３】
スライド部材１０は、揺動部材９の揺動角度に応じて初期位置から第二端部１７の変位方向にスライド可能とされている。つまり、操作力伝達部６により、頭部２の揺動操作がスライド部材１０のスライド変位に変換される。スライド部材１０は、第二端部１７に押圧される突起部１８を備えている。この突起部１８は、第二端部１７の後方に配置される。また、スライド部材１０は、前方に向けて付勢されている。つまり、スライド部材１０は、頭部２が開放位置まで揺動されると、第二端部１７により突起部１８が押圧され、その揺動角度に応じて付勢力に抗する方向へ初期位置からスライド変位する。一方で、スライド部材１０は、頭部２が初期位置まで戻されると、付勢力により初期位置までスライドして戻る。
【００２４】
図４は、この考案の実施形態における玩具本体の分解斜視図である。図５は、この考案の実施形態における玩具本体の平面図である。
図４に示すように、玩具本体４は、本体ハウジング部２０と、ベース部２１と、ランダム解除機構部２２と、アクション部２３と、を備えている。
【００２５】
本体ハウジング部２０は、ベース部２１と共に、内部にランダム解除機構部２２を収容する収容空間を区画して形成する。この本体ハウジング部２０は、周壁部２０ａと、上壁部２０ｂと、アクション案内部２４と、首支持部２５と、を備えている。周壁部２０ａは、上下方向に延びる筒状に形成されている。上壁部２０ｂは、周壁部２０ａの上端を塞ぐように伸びている。上壁部２０ｂの前部にアクション案内部２４が形成され、上壁部２０ｂの後部に首支持部２５が形成されている。
【００２６】
アクション案内部２４は、内筒部２６と外筒部２７とからなる２重の円筒状に形成されている。これら内筒部２６と外筒部２７とは、それらの上端部２８で折り返されるようにして一体に形成されている。また、アクション案内部２４は、上端部２８に２つの凹部２９を備えている。これら凹部２９は、上端部２８の左端を含む位置、および上端部２８の右端を含む位置で且つ左右対称な位置に配されている。
【００２７】
アクション案内部２４の内筒部２６には、４つ（図４中、４つのうち１つのみ図示）の切欠き部３０が形成されている。これら切欠き部３０は、内筒部２６の下端部３１から上方に向かって切り欠かれている。各切欠き部３０は、それぞれ上端部２８の僅かに下方の同一位置にまで至っている。各切欠き部３０は、周方向においてそれぞれ等間隔に配されるとともに、左右対称位置に配されている。ここで、本体ハウジング部２０は、その周壁部２０ａの前方側の一部がアクション案内部２４の外筒部２７に沿って円弧状に湾曲形成されている。
【００２８】
首支持部２５は、上述した首部３の下端部（図示せず）を支持する。図４、図５に示すように、首支持部２５は、前支持部３３と、後支持部３４と、を備えている。前支持部３３と後支持部３４とは、それぞれ上壁部２０ｂから上方に向かって立ち上がっている。これら前支持部３３と後支持部３４とは、首部３の下端部を外側から囲むように形成されている。
【００２９】
前支持部３３の内周面３５と、後支持部３４の内周面３６とは、それぞれ首部３の下端部における外周面に沿って形成され、内周面３５，３６が周方向で、首部３の下端部における外周面と当接するようになっている。また、前支持部３３は、左右に分割して形成されている。本体ハウジング部２０の左右幅方向において、前支持部３３の各中央側の端部４０は、外筒部２７に当接するように形成されている。
【００３０】
首支持部２５は、複数のビス孔３８と、貫通孔３９とを上壁部２０ｂに備えている。首部３は、ビス孔３８を介して本体ハウジング部２０にビス止めされる。この実施形態におけるビス孔３８は、前側および後側に二つずつ形成されている。前側のビス孔３８は、前支持部３３よりも内側、且つ、貫通孔３９よりも前支持部３３側の左右対称な位置に配されている。後側のビス孔３８は、前後方向において貫通孔３９の後縁の位置と同等の位置で且つ左右対称な位置に配されている。
【００３１】
貫通孔３９は、上述した揺動部材９の第二端部１７の前後方向への変位を妨げずに第二端部１７を貫通させる。この実施形態における貫通孔３９は、矩形状に形成されている。また、この貫通孔３９は、前後方向における前支持部３３と後支持部３４との中央よりも僅かに後側に配されている。
【００３２】
アクション部２３は、上部アクション部４２と、下部アクション部４３とを備えている。
上部アクション部４２は、内筒部２６の内側を上下方向に摺動可能な有底円筒状に形成されている。上部アクション部４２は、その上縁部４４に、内筒部２６よりも大径に形成されるリング状のつば部４５を備えている。このつば部４５がアクション案内部２４の上端部２８に突き当たることによって、上部アクション部４２の下方への変位が規制される。上部アクション部４２は、上述した凹部２９に対応する位置に、上部アクション部４２の径方向において、つば部４５よりも外側に突出する凸部４６を備えている。この凸部４６は、上述した凹部２９に嵌り込むことが可能となっている。
【００３３】
上部アクション部４２の底部４７には、上部アクション部４２の周壁４８に沿って環状の溝４９が形成されている。この管状の溝４９には、容器５の環状の下縁（図示せず）が嵌り込むようになっている。円環状の溝４９には、その中心を基準にした対称位置に、押圧部５０の本体部５１（図４参照）が突出している。具体的には、この押圧部５０の本体部５１は、溝４９の内周面４９ａから径方向外側に向かって突出している。
【００３４】
図４に示すように、押圧部５０は、本体部５１と、弾性部５２とを備えている。本体部５１は、上述した溝４９に対して突出する。一方で、弾性部５２は、本体部５１を径方向外側に付勢している。本体部５１と弾性部５２とは、弾性に優れる樹脂等により一体に形成されている。これら押圧部５０は、下部アクション部４３の取付部５７（後述する）に取り付けられている。
【００３５】
つまり、押圧部５０は、その本体部５１が溝４９の径方向外側に向かって付勢された状態で、溝４９に対して出没可能とされている。これにより、容器５の下縁を溝４９に嵌め込むことによって、対称位置に配された２つの押圧部５０が容器５の下縁を径方向外側に向かって押圧して、容器５が上部アクション部４２に固定される。ここで、弾性部５２が本体部５１と一体に形成される場合について説明したが、個別に形成されていても良い。また、弾性部５２が板バネである場合を例示したが、本体部５１を付勢できればよく例えば、コイルばね等を用いても良い。
【００３６】
図６は、この考案の実施形態における下部アクション部を示す断面図である。
図４、図６に示すように、下部アクション部４３は、下部本体部５３と、スライド軸部５４と、を備えている。下部本体部５３は、アクション案内部２４の内筒部２６の内径よりも僅かに小さい円盤状に形成されている。これにより下部本体部５３は、アクション案内部２４の内筒部２６の内側を上下方向に変位可能となっている。また、下部本体部５３は、上述したアクション案内部２４の切欠き部３０に対して上下方向にスライド可能に嵌り込む４つの規制突起部５５を備えている。規制突起部５５は、切欠き部３０の幅寸法よりも僅かに小さい幅寸法を有している。このように規制突起部５５が切欠き部３０に嵌り込むによって、下部本体部５３は、その周方向へ変位することが規制される。
【００３７】
下部本体部５３は、底部４７の溝４９の内側に嵌り込む嵌合凸部５６を有している。この嵌合凸部５６には、押圧部５０を着脱可能に支持する取付部５７が形成されている。さらに、嵌合凸部５６には、取付部５７よりも径方向内側に、下部本体部５３と上部アクション部４２の底部４７とをビス（図示せず）によって固定するためのビス穴５８が形成されている。
【００３８】
アクション部２３を組立する際、アクション案内部２４の規制突起部５５が切欠き部３０に嵌り込んだ状態で、嵌合凸部５６の上面５６ａと、底部４７とを突き合わせて、底部４７のビス孔５９から、嵌合凸部５６のビス穴５８へとビスがねじ込まれる。これにより、底部４７が下部本体部５３に対して一体に固定される。このように、上部アクション部４２と下部アクション部４３とが固定されることで、アクション部２３は、規制突起部５５によって上方への変位の限界位置が決まり、つば部４５によって下方への変位の限界位置が決まることとなる。
【００３９】
スライド軸部５４は、円形の下部本体部５３の中心軸Ｏ３に沿って下方に延びている。このスライド軸部５４は、上下に延びるスリット６０を前方に備える円筒状に形成されている。スライド軸部５４の内周には、圧縮ばねであるコイルばね６１の上端部６１ａが挿入される。スライド軸部５４は、コイルばね６１の内径よりも僅かに直径が小さくスライド軸部５４よりも揺動軸Ｏ１方向の長さが短い筒部６２を備えている。この筒部６２外周面６２ａに対してコイルばね６１の上部が嵌め合わされている。
【００４０】
下部アクション部４３は、スライド軸部５４の外周面５４ａの後端部に被係止爪Ｋ１を更に備えている。この被係止爪Ｋ１は、下部アクション部４３のスライド方向である上方を向く被係止面を備えている。この被係止爪Ｋ１には、後述するトリガ部６７の係止爪Ｋ２が係止可能となっている。被係止爪Ｋ１は、下部アクション部４３が上方に向けて付勢された状態で、係止爪Ｋ２に対して係止される。
【００４１】
ベース部２１は、上述した本体ハウジング部２０の下部開口を閉塞する。ベース部２１は、その周縁部の複数箇所で本体ハウジング部２０に対してビス（図示せず）により固定される。ベース部２１は、案内筒部６３と、トリガ支持部６５と、弾性部材支持部６６と、を備えている。
【００４２】
案内筒部６３は、上述した下部本体部５３のスライド軸部５４を上下方向に案内する。この案内筒部６３は、板状に形成されたベース本体部２１ａから鉛直上方に延びる円筒状に形成されている。案内筒部６３の外径は、下部本体部５３のスライド軸部５４の内径よりも僅かに小さく形成されている。案内筒部６３は、スライド軸部５４の内部に配され、上下方向に摺動可能とされている。案内筒部６３は、その外周面６３ａの前端部に、上下方向に平行に延びる２つの突条６４を備えている。これら突条６４は、スライド軸部５４のスリット６０に嵌り込むことで、案内筒部６３に対する下部本体部５３の揺動軸Ｏ１周りの位置決めをしている。
【００４３】
図４に示すように、トリガ支持部６５は、後述するトリガ部６７を揺動可能に支持している。このトリガ支持部６５は、トリガ部６７の左右両側にそれぞれ配される。これらトリガ支持部６５には、上方に開口する軸受部（図示せず）が形成され、この軸受部にトリガ部６７が上方から挿入されて取り付けられる。トリガ支持部６５の上部には、規制部材６８が取り付けられている。この規制部材６８は、軸受部からトリガ部６７が外れないように、軸受部の開口を閉塞する。規制部材６８は、トリガ部６７の係止爪Ｋ２よりも後方において２つのトリガ支持部６５間を渡るように形成されている。
【００４４】
弾性部材支持部６６は、スライド部材１０を付勢するコイルばね７９を保持する。この弾性部材支持部６６は、スライド部材１０に形成されたコイル取付部８０と対向配置されている。コイルばね７９は、これらコイル取付部８０と弾性部材支持部６６との間に圧縮状態で取り付けられている。言い換えれば、コイルばね７９は、コイル取付部８０と弾性部材支持部６６とによって挟み込まれて、スライド部材１０を常時前方に付勢している。
【００４５】
この実施形態におけるベース本体部２１ａは、格子状にリブ２１ｂを備えている場合を例示している。しかし、リブ２１ｂは、格子状に限られない。また、リブ２１ｂは、ベース本体部２１ａに十分な強度がある場合、省略しても良い。
ランダム解除機構部２２は、トリガ支持部６５と弾性部材支持部６６との間において、ベース本体部２１ａに対して取り付けられている。
【００４６】
図７は、この考案の実施形態におけるランダム解除機構部の平面図である。図８は、この考案の実施形態における第二回転部の平面図である。図９は、この考案の実施形態における第一回転部の斜視図である。
ランダム解除機構部２２は、頭部２の操作に伴うスライド部材１０の往復動によって駆動され、ランダムな往復回数で被係止爪Ｋ１による係止状態を解除する。
【００４７】
図７、図８に示すように、ランダム解除機構部２２は、基台部６９と、第一回転部７０と、カギ部材７１と、第二回転部７３と、第一のラチェット機構７４と、第二のラチェット機構７５と、トリガ部６７と、を備えている。
【００４８】
第一回転部７０と、第二回転部７３とは、ベース部２１に形成された円筒状の軸部８２に対して回転自在に支持されている。この軸部８２には、第二回転部７３が下方に取り付けられ、この第二回転部７３の上方に重なるようにして第一回転部７０が取り付けられている。また、軸部８２の上端部には、第一回転部７０および、第二回転部７３が上方へ変位しないように、軸部８２よりも大径な抜け止め部材８３がビス等により取り付けられている。
【００４９】
基台部６９は、上述したスライド部材１０をスライド可能に支持するとともに、第一のラチェット機構７４を構成する第一の爪７７を支持する。基台部６９は、ベース部２１に形成された複数のボス７８に対してビス等により固定されている。基台部６９は、ボス７８に固定されることで、ベース本体部２１ａから離間して配置されている。また、基台部６９は、上下方向において第二回転部７３と僅かに重なる位置に配されている。そのため、第一回転部７０は、基台部６９よりも上方に突出する。
【００５０】
第一回転部７０は、頭部２の操作に連動する。すなわち、第一回転部７０は、スライド部材１０に連動して回転する。第一回転部７０は、頭部２が一回操作されることで、第一の回転方向（図７中、右回り方向）に所定回転角度だけ回転する。第一回転部７０は、第一歯車Ｈ１と、第二歯車Ｈ２と、を備えている。
【００５１】
第一歯車Ｈ１には、その外周部に鋸刃状の複数の第一歯部８４が形成されている。一方で、スライド部材１０には、カギ部材７１が取り付けられている。このカギ部材７１は、第一歯車Ｈ１の第一歯部８４に対して係止可能とされている。このカギ部材７１は、スライド部材１０が初期位置からスライド変位することで、第一歯部８４に係止されて第一回転部７０を第一の回転方向へ回転させる。この実施形態における第一歯部８４は、第一歯車Ｈ１の周方向に１２個形成されている。第一回転部７０は、スライド部材１０による１回の往復動で、第一歯部８４の一個分の回転角度だけ回転するようになっている。
【００５２】
カギ部材７１は、その先端側が第一回転部７０に近接および離間するようにスライド部材１０に対して揺動自在に取り付けられている。これにより、カギ部材７１は、第一歯部８４に係止される係止位置（図７中、実線で示す）と、第一歯部８４に係止されない退避位置（図７中、破線で示す）と、の間で変位可能となっている。このカギ部材７１は、板バネ等の弾性体（図示せず）によって第一歯部８４に向けて常時付勢されている。
【００５３】
第一歯部８４は、被係止面８６と、案内面８７とを備えている。
被係止面８６は、カギ部材７１に係止される面であって、第一回転部７０の法線よりも、第一の回転方向とは反対の第二の回転方向に僅かに傾斜している。被係止面８６は、第一回転部７０の周方向に等間隔で配置されている。
【００５４】
案内面８７は、周方向で隣り合う被係止面８６の基部と端部とを繋ぐ傾斜面とされている。この案内面８７は、第一歯車Ｈ１の接線よりも第一の回転方向に向かって僅かに傾斜している。ここで、上述した「法線」、および、「接線」は、第一歯車Ｈ１の外接円に対する法線および接線を意味している（以下同様）。つまり、スライド部材１０が初期位置に戻ろうとして第一回転部７０に対してカギ部材７１が第二の回転方向に相対変位しようとすると、カギ部材７１が案内面８７に退避位置まで案内されて第一歯部８４を一つだけ乗り越えることとなる。
【００５５】
第一の爪７７は、第一回転部７０が第一の回転方向への回転を許容するとともに、第二の回転方向への回転を規制する。これら第一の爪７７と、第一歯部８４とによって、この考案の第一のラチェット機構が構成されている。第一の爪７７は、基台部６９に対して揺動可能に支持されている。この第一の爪７７は、板バネ等の弾性部材（図示せず）によってその端部側が第一歯車Ｈ１に近接する方向に付勢されている。
【００５６】
第一の爪７７は、第一歯部８４の被係止面８６に係止される係止面９１を備えている。この係止面９１は、第一回転部７０が第二の回転方向へ回転しようとすると、被係止面８６に突き当たる。一方で、第一の爪７７は、第一回転部７０が第一の回転方向へ回転しようとした場合は、案内面８７によって弾性部材による付勢力に抗して第一回転部７０の径方向外側に案内されて、第一歯部８４を乗り越えることが可能となっている。
【００５７】
図９に示すように、第二歯車Ｈ２は、周方向に複数形成された第二歯部８８を備えている。第二歯車Ｈ２は、第一歯車Ｈ１と一体に形成されている。第二歯車Ｈ２は、第一歯車Ｈ１よりも小径に形成されている。第二歯車Ｈ２に形成される第二歯部８８は、第一歯部８４とは上下方向およびその周方向で反対を向く鋸刃状に形成されている。
【００５８】
この第二歯部８８も、第一歯部８４と同様に、被係止面９２と案内面９３とを有している。被係止面９２は、第二回転部７３の法線よりも第一の回転方向にわずかに傾斜して形成されている。案内面９３は、第二回転部７３の接線よりも第二の回転方向に僅かに傾斜して形成されている。ここで、上記「法線」および「接線」は、第一歯車Ｈ１と同様に、第二歯車Ｈ２の外接円に対する「法線」および「接線」を意味している（以下同様）。
【００５９】
図８に示すように、第二回転部７３は、回転部本体９５と、第二の爪９６と、トリガ解除部１０６と、を有している。
回転部本体９５は、第一回転部７０よりも大径な円盤状に形成されている。回転部本体９５は、その中央部に、第一回転部７０の第二歯車Ｈ２を収容可能な凹部９７を備えている。この凹部９７は、第二歯車Ｈ２の外接円よりも僅かに大きい内径を有した円筒状の内壁９８を有している。この内壁９８は、回転部本体９５の円筒状の外壁９９の同心円上に配されている。これにより、第二歯車Ｈ２は、凹部９７内において、軸部８２回りに回転可能とされている。
【００６０】
第二の爪９６は、第二歯車Ｈ２の第二歯部８８と共に第二のラチェット機構を構成する。すなわち、第二の爪９６は、第一回転部７０に対する第一の回転方向への相対回転を許容する。一方で、第二の爪９６は、第一回転部７０に対する第二の回転方向への相対回転を規制する。
【００６１】
第二の爪９６は、爪本体部１００と、回転軸部１０１と、被押圧部１０２と、弾性部材１０３と、を備えている。
爪本体部１００は、内壁９８から凹部９７の内部に向かって出没可能に付勢されている。この爪本体部１００は、第二歯部８８の被係止面９２（図９参照）に係止する係止面１０４を備えている。この係止面１０４は、第二の回転方向を向くとともに、被係止面９２と同様にその法線から第一の回転方向に僅かに傾斜して形成されている。爪本体部１００は、第二歯部８８の被係止面９２に係止する係止位置で、その径方向の内側の基部１０５が内壁９８に突き当たり、それ以上、第二回転部７３の径方向内側へ移動することが規制される。
【００６２】
回転軸部１０１は、第二回転部７３の内壁９８と外壁９９との間において、第二回転部７３に対して揺動可能に支持されている。
被押圧部１０２は、回転軸部１０１を挟んで爪本体部１００とは反対側に配されている。この被押圧部１０２は、内壁９８との間で弾性部材１０３を挟み込む。
【００６３】
弾性部材１０３は、爪本体部１００を付勢する。この実施形態の弾性部材１０３は、圧縮コイルばねであって、内壁９８からその径方向外側に向かって被押圧部１０２を押圧している。被押圧部１０２が弾性部材１０３によって第二回転部７３の径方向外側に向かって押圧されることで、爪本体部１００が第二回転部７３の径方向内側に向かって付勢される。この弾性部材１０３が第二の爪９６を付勢する力は、第一の爪７７が付勢される力よりも十分に小さく設定されている。
【００６４】
すなわち、爪本体部１００は、第一回転部７０に対して第二回転部７３が相対的に第一の回転方向に回転しようとすると、係止面１０４が被係止面９２に突き当たり、第一回転部７０と第二回転部７３との相対回転を規制する。一方で、第一回転部７０に対して第二回転部７３が相対的に第二の回転方向に回転しようとすると、爪本体部１００は、案内面９３によってその径方向外側に押圧されて、内壁９８よりも外側に没して第一回転部７０と第二回転部７３との相対回転を許容する。
【００６５】
つまり、第一回転部７０が第一の回転方向に回転すると、第二回転部７３が第一回転部７０に対して第二の回転方向へ回転しようとするが爪本体部１００によって規制される。これにより、第二回転部７３は、第一回転部７０と共に第一の回転方向へ同期回転する。一方で、第一回転部７０が第一の回転方向へ回転している状態から急停止すると、第二回転部７３は、その慣性力によって第一の回転方向への回転を維持しようとする。これにより、第一回転部７０に対して第二回転部７３が第一の回転方向へと回転しようとする。この場合、爪本体部１００は、第一回転部７０に対する第二回転部７３の相対回転を許容する。
【００６６】
要するに、第二の爪９６は、第一回転部７０に対する第二回転部７３の慣性による相対回転を許容する一方で、第二回転部７３の慣性による相対回転とは逆方向への相対回転を規制する。また、第二回転部７３は、頭部２が１回操作された場合、上記相対回転の回転速度に応じて生じる慣性力の大きさによって、第一回転部７０から伝達される所定回転角度の回転に対応した回転角度以上の回転が可能となっている。
【００６７】
ここで、上述した爪本体部１００は、第一回転部７０に対する第二回転部７３の慣性による相対回転を許容するが、その一方で、付勢された爪本体部１００により第二回転部７３が径方向外側から押圧されている分だけ回転抵抗を増加させている。そのため、第一回転部７０に対する第二回転部７３の第一の回転方向への相対回転は、１回の頭部２の操作によって１回転以上持続するものではなく、１回転未満の限定的なものとなる。
【００６８】
トリガ解除部１０６は、トリガ部６７によるアクション部２３の係止状態を解除操作する。このトリガ解除部１０６は、第二回転部７３の外周部１０７に設けられている。より具体的には、トリガ解除部１０６は、第二回転部７３の外周部１０７から第二回転部７３の径方向外側に向かって突出している。このトリガ解除部１０６は、第二回転部７３の回転によって周回する。トリガ解除部１０６は、第一傾斜面１０８と、第二傾斜面１０９と、を備えている。
【００６９】
第一傾斜面１０８は、第二回転部７３の法線よりも第一の回転方向に傾斜している。同様に、第二傾斜面１０９は、トリガ解除部１０６の法線よりも第二の回転方向に傾斜している。つまり、トリガ解除部１０６は、径方向外側に向かって先細り形状となっている。この実施形態における第一傾斜面１０８と第二傾斜面１０９とは、トリガ解除部１０６の頂点を通る法線に対して線対称となるように形成されている。ここで、第一傾斜面１０８については、必要に応じて設ければ良く省略しても良い。
【００７０】
図４、図６、図８に示すように、トリガ部６７は、第二回転部７３が所定の回転位置となったときにトリガ解除部１０６によってアクション部２３との係止状態を解除操作される。このトリガ部６７は、上述した係止爪Ｋ２を備えている。係止爪Ｋ２は、下方を向き、アクション部２３の被係止面と上下方向で突き当たる係止面を備えている。トリガ部６７は、係止爪Ｋ２を、被係止爪Ｋ１に係止させる係止位置と、被係止爪Ｋ１に係止させない係止解除位置との間で変位可能となっている。トリガ部６７は、その上端部１１１ａに係止爪Ｋ２を備えている。
【００７１】
トリガ部６７は、トリガ本体部１１２と、トリガ操作部１１３と、を更に備えている。
トリガ本体部１１２は、上記係止位置において、上下方向に延びるように形成されるとともに、トリガ本体部１１２の上下方向の中央位置で、トリガ支持部６５に対して、左右方向に延びる軸線Ｏ４（図８参照）周りに回動可能に支持されている。
【００７２】
トリガ操作部１１３は、トリガ解除部１０６により押圧操作される。この実施形態におけるトリガ操作部１１３は、係止位置にあるトリガ本体部１１２の下端部１１１ｂから後方に向かって突出している。このトリガ操作部１１３は、上述したトリガ解除部１０６と同様に、左右それぞれに傾斜面１１４，１１５を備えており、上方から見て三角形状に形成されている。このトリガ操作部１１３は、上下方向で第二回転部７３と同じ位置に配される。またトリガ操作部１１３は、トリガ解除部１０６が係止位置にあり、且つ、トリガ解除部１０６が第二回転部７３の前方に位置した際に、左右方向から見てトリガ解除部１０６と重なる位置に配されている。
【００７３】
すなわち、トリガ解除部１０６が周回してトリガ操作部１１３が配される位置を通過しようとすると、トリガ操作部１１３の第二傾斜面１０９がトリガ解除部１０６の傾斜面１１４を第一の回転方向に押圧する。すると、トリガ操作部１１３の傾斜面１１４は、トリガ解除部１０６の第二傾斜面１０９に案内されて、前方側に変位する。これによりトリガ解除部１０６が係止解除位置まで揺動して、係止爪Ｋ２が被係止爪Ｋ１から後方に向かって離脱する。すると、アクション部２３は、コイルばね６１の力によって上方に向かって変位することとなる。これにより、容器５に収容された収容物が容器５の内部で激しく動き、ユーザへ音および視覚による衝撃を与えることができる。
【００７４】
図１、図２に示すように、ゲーム玩具１は、左右に腕部１１６を備えている。
腕部１１６は、首部３の玩具本体４側の基部に揺動自在に取り付けられている。腕部１１６は、その長手方向の第一端部が肩部１１６ａとされ、第二端部が拳部１１６ｂとされている。腕部１１６は、肩部１１６ａが首部３に取り付けられている。肩部１１６ａは、左右方向に延びる軸線Ｏ５周りに回転する。
【００７５】
拳部１１６ｂの付け根である手首部分には、左右方向における２つの腕部１１６の内側に向かって突出する突出部１１７が形成されている。突出部１１７は、図１に示す初期位置では、それぞれ上部アクション部４２の凸部４６の上に載置されている。
一方で、腕部１１６は、トリガ部６７が係止解除位置となりアクション部２３が上方に変位すると、凸部４６の上方への変位によって上方に跳ね上げられる。すると、図２に示すように腕部１１６が揺動する。これにより、アクション部２３の上方への変位をより激しく見せることができ、ユーザに対して与える視覚的な衝撃を更に増幅することができる。
【００７６】
したがって、上述した実施形態のゲーム玩具１によれば、ユーザが頭部２を一回操作することで、カギ部材７１によって第一回転部７０を第一の回転方向に所定回転角度だけ回転させることができる。さらに、この所定回転角度だけ第一回転部７０を回転させることで、その回転が第二回転部７３に伝達されて第二回転部７３を回転させることができる。この際、ユーザが頭部２を操作する操作速度に応じて第二回転部７３の回転角度が決まる。そのため、第二回転部７３の回転角度を変化させることで、第二回転部７３と共に第二回転部７３の周りを周回するトリガ解除部１０６の位置を変化させることができる。これにより、アクション部２３の係止が解除されて上方に変位するタイミングを、遊戯中に頭部２を操作するだけで毎回ずらすことができる。その結果、操作が煩雑になることなしに、アクションが起こるタイミングのランダム性を担保することが可能となる。
【００７７】
また、第一のラチェット機構７４によって第一回転部７０の第一の回転方向への回転を許容する一方で第二の回転方向への回転を規制する機構が複雑化することを抑制できる。同様に、第二のラチェット機構７５によって、第一回転部７０に対する第二回転部７３の慣性による相対回転を許容する一方で第二回転部７３の慣性による相対回転とは逆方向への相対回転を規制する機構が複雑化することを抑制できる。そのため、部品点数の増加を抑制して、小型化および軽量化を図ることができる。
【００７８】
さらに、トリガ解除部１０６の周回によってトリガ部６７がトリガ解除部１０６に押圧されて、トリガ部６７によるアクション部２３の係止状態を解除することができる。そのため、第二回転部７３の回転によってトリガ部６７による係止状態を解除する機構が複雑化することを抑制することができ、トリガ部６７とトリガ解除部１０６との互いの位置調整に手間がかからず、組み立て作業者の負担を軽減できる。
【００７９】
また、第二の爪９６が第二歯部８８に付勢される力によって、第一回転部７０に対する第二回転部７３の相対回転が過度になることを抑制できる。また、第一の爪７７がより大きな力で第一歯部８４に対して付勢されていることで、第一回転部７０が所定回転角度よりも回転することを抑制することができる。そのため、第一回転部７０の回転に対して第二回転部７３の回転を慣性力に応じて安定して進ませることができる。
【００８０】
さらに、アクション部２３がベース部２１によって上方に向かって案内されるため、トリガ部６７による係止状態が解除された場合に、アクション部２３を上方に向かって変位させることができる。そのため、迫力を向上できるとともに、アクション部２３を変位させる機構の信頼性を向上することができる。
【００８１】
また、揺動部材９の揺動によりスライド部材１０をスライドさせてカギ部材７１によって第一回転部７０を回転させることができるため、例えば、第一回転部７０から離れた位置に頭部２が配されている場合であっても、その揺動による操作力を、操作力伝達部６を介して第一回転部７０に伝達することができる。
【００８２】
さらに、案内面８７によってカギ部材７１を円滑に退避位置まで変位させることができるため、周方向で隣り合う次の第一歯部８４に噛み合う位置までカギ部材７１を移動させることができる。
【００８３】
また、容器５の中に収容されている収容物を取り出す動作をするために、容器５の開口部５ａを塞ぐ閉塞部として機能する頭部２の前部を持ち上げて頭部２を揺動させることができる。そのため、複数のユーザが順次容器５から収容物を取り出す操作を繰り返すことによって、ランダムなタイミングでアクション部２３を変位させることができる。またその際、アクション部２３に取り付けられた容器５をアクション部２３と共に変位させて収容物を揺さぶることができる。
【００８４】
また、押圧部５０によって容器５を上部アクション部２３に固定できるため、アクション部２３の変位によって容器５が転倒して、容器５の内部に収容された収容物が容器５の外部に飛び出して散乱することを抑制できる。
【００８５】
この考案は上述した実施形態の構成に限られるものではなく、その要旨を逸脱しない範囲で設計変更可能である。
例えば、上述した実施形態においては、トリガ解除部１０６が第二回転部７３に一つだけ形成される場合について説明した。しかし、トリガ解除部１０６は、一つに限られず、複数設けるようにしても良い。
【００８６】
さらに、上述した実施形態においては、第一回転部７０と第二回転部７３が、同一軸線周りに回転可能に支持される場合について説明した。しかし、この構成に限られるものではなく、例えば、第一回転部７０と第二回転部７３とは、個別の軸線周りに回転可能に支持させて連係させるようにしてもよい。
【００８７】
また、上述した実施形態においては、頭部２と首部３とを備え、頭部２を操作部として機能させる場合について説明した。しかし、操作部は、頭部２に限られない。繰り返し操作ができる操作部であればよい。
さらに、腕部１１６を揺動可能に設ける場合について説明したが、腕部１１６が揺動する機構は、適宜採用すればよい。
【００８８】
また、上述した実施形態においては、アクション部２３が容器５を取り付け可能である場合について説明したが、アクション部２３と容器５とを一体に形成しても良い。また、アクション部２３の形状は、上述した実施形態の形状に限られず、如何なる形状であっても構わない。さらに、アクション部２３の変位する方向が上方の場合について説明したが、上方に限られるものではない。
【００８９】
さらに、トリガ解除部１０６が第二回転部７３から径方向外側に向かって突出する場合について説明した。しかし、トリガ解除部１０６の形状は、第二回転部７３の回転に伴ってトリガ部６７を操作可能な形状であればよく上述した形状に限られるものではない。同様にトリガ部６７も、上述した形状に限られず、トリガ解除部１０６によって操作されることが可能であり、且つ、当該操作によってアクション部２３を係止した状態を解除可能な形状であればよい。
【符号の説明】
【００９０】
１  ゲーム玩具
２  頭部（操作部、閉塞部）
３  首部
４  玩具本体
５  容器
６  操作力伝達部
９  揺動部材
１０  スライド部材
１１  支持部材
１２  ハウジング
１３  第一端部
１４  連結部
１５  長孔
１６  軸
１７  第二端部
１８  突起部
２０  本体ハウジング部
２０ａ  周壁部
２０ｂ  上壁部
２１  ベース部
２１ａ  ベース本体部
２１ｂ  リブ
２２  ランダム解除機構部
２３  アクション部
２４  アクション案内部
２５  首支持部
２６  内筒部
２７  外筒部
２８  上端部
２９  凹部
３０  切欠き部
３１  下端部
３３  前支持部
３４  後支持部
３５  内周面
３６  内周面
３８  ビス孔
３９  貫通孔
４０  端部
４２  上部アクション部
４３  下部アクション部
４４  上縁部
４５  つば部
４６  凸部
４７  底部（容器支持部）
４８  周壁
４９  溝
５０  押圧部
５１  本体部
５２  弾性部
５３  下部本体部
５４  スライド軸部
５５  規制突起部
５６  嵌合凸部
５７  取付部
５８  ビス穴
５９  ビス孔
６０  スリット
６１  コイルばね
６２  筒部
６３  案内筒部
６３ａ  外周面
６４  突条
６５  トリガ支持部
６６  弾性部材支持部
６７  トリガ部
６８  規制部材
６９  基台部
７０  第一回転部
７１  カギ部材
７３  第二回転部
７４  第一のラチェット機構
７５  第二のラチェット機構
７７  第一の爪
７８  ボス
７９  コイルばね
８０  コイル取付部
８２  軸部
８３  抜け止め部材
８４  第一歯部（第一の歯）
８５  係止面
８６  被係止面
８７  案内面
８８  第二歯部（第二の歯）
９１  係止面
９２  被係止面
９３  案内面
９５  回転部本体
９６  第二の爪
９７  凹部
９８  内壁
９９  外壁
１００  爪本体部
１０１  回転軸部
１０２  被押圧部
１０４  係止面
１０５  基部
１０６  トリガ解除部
１０７  外周部
１０８  第一傾斜面
１０９  第二傾斜面
１１１ａ  上端部
１１１ｂ  下端部
１１２  トリガ本体部
１１４  傾斜面
１１５  傾斜面
１１６  腕部
１１６ａ  肩部
１１６ｂ  拳部
１１７  突出部
Ｋ１  被係止爪
Ｋ２  係止爪
【図１】
0003194179.tif 000003
【図２】
0003194179.tif 000004
【図３】
0003194179.tif 000005
【図４】
0003194179.tif 000006
【図５】
0003194179.tif 000007
【図６】
0003194179.tif 000008
【図７】
0003194179.tif 000009
【図８】
0003194179.tif 000010
【図９】
0003194179.tif 000011